【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
演出操作装置及び回転手段を備える遊技機において、
前記回転手段は、回転軸と、当該回転軸により支持される回転体と、当該回転体を回転可能に支持するように設けられる支持部材とを有して、前記回転体によりその表面の絵柄でもって演出態様の期待度を報知するようになっており、
前記演出操作装置は、
ベースと、
当該ベースに押動可能に支持してなる操作ボタンと、
当該操作ボタンに対し振動を伝達可能に設けてなる可振板と、
当該可振板の面に沿う中心線に対する法線上にて前記中心線の左右両側に前記可振板及び前記ベースに接触可能に設けてなる左右両側弾性スペーサ部材と、
前記可振板に振動を発生させるように設けてなる振動発生手段とを具備してなり、
当該振動発生手段は、モータ本体及び当該モータ本体から同軸的に延出する出力軸を有するモータと、当該モータの前記出力軸に支持される偏心体とを備えており、
前記回転手段において、
前記回転体は、一図柄変動において２種類の回転速度のうちの低い回転速度にて回転した後当該低い回転速度よりも高い回転速度にて回転するようになっており、
前記振動発生手段において、前記モータは、前記モータ本体にて、前記左右両側弾性スペーサ部材を結ぶ直線からずれて位置するように前記可振板に支持されており、
大当たりのときには、前記可振板の振動が発生し、または前記回転体の回転速度が前記高い回転速度になるようになっていることを特徴とする遊技機。
【請求項２】
演出操作装置及び回転手段を備える遊技機において、
前記回転手段は、回転軸と、当該回転軸により支持される回転体と、当該回転体を回転可能に支持するように設けられる支持部材とを有して、前記回転体によりその表面の絵柄でもって演出態様の期待度を報知するようになっており、
前記演出操作装置は、
ベースと、
当該ベースに押動可能に支持してなる操作ボタンと、
当該操作ボタンに対し振動を伝達可能に設けてなる可振板と、
当該可振板の面に沿う中心線に対する法線上にて前記中心線の左右両側に前記可振板及び前記ベースに接触可能に設けてなる左右両側弾性スペーサ部材と、
前記可振板に振動を発生させるように設けてなる振動発生手段とを具備してなり、
当該振動発生手段は、モータ本体及び当該モータ本体から同軸的に延出する出力軸を有するモータと、当該モータの前記出力軸に支持される偏心体とを備えており、
前記回転手段において、
前記回転体は、一図柄変動において２種類の回転速度のうちの低い回転速度にて回転した後当該低い回転速度よりも高い回転速度にて回転するようになっており、
前記振動発生手段において、前記モータは、前記左右両側弾性スペーサ部材を結ぶ直線からずれて前記偏心体を位置させるように、前記モータ本体にて、前記可振板に支持されており、
大当たりのときには、前記可振板の振動が発生し、または前記回転体の回転速度が前記高い回転速度になるようになっていることを特徴とする遊技機。
【手続補正２】
【補正対象書類名】明細書
【補正対象項目名】０００８
【補正方法】変更
【補正の内容】
【０００８】
当該遊技機において、
回転手段は、回転軸（１６１）と、当該回転軸により支持される回転体（ＲＤ）と、当該回転体を回転可能に支持するように設けられる支持部材（１５０ｂ）とを有して、回転体によりその表面の絵柄でもって演出態様の期待度を報知するようになっており、
演出操作装置は、
ベース(１４０ａ）と、
当該ベースに押動可能に支持してなる操作ボタン（１４０ｃ）と、
操作ボタンに対し振動を伝達可能に設けてなる可振板（２００ｄ）と、
当該可振板の面に沿う中心線（Ｑ）に対する法線（Ｐ）上にて上記中心線の左右両側に可振板及びベースに接触可能に設けてなる左右両側弾性スペーサ部材（２２０ｃ、２２０ｄ）と、
可振板に振動を発生させるように設けてなる振動発生手段（ＶＭ）とを具備してなり、
当該振動発生手段は、モータ本体（２１４）及び当該モータ本体から同軸的に延出する出力軸（２１５）を有するモータ（２００ｆ）と、当該モータの上記出力軸に支持される偏心体（２００ｇ）とを備えており、
回転手段において、
回転体は、一図柄変動において２種類の回転速度のうちの低い回転速度にて回転した後当該低い回転速度よりも高い回転速度にて回転するようになっており、
振動発生手段において、モータは、上記モータ本体にて、左右両側弾性スペーサ部材を結ぶ直線からずれて位置するように可振板に支持されており、
大当たりのときには、可振板の振動が発生し、または回転体の回転速度が上記高い回転速度になるようになっていることを特徴とする。
【手続補正３】
【補正対象書類名】明細書
【補正対象項目名】０００９
【補正方法】変更
【補正の内容】
【０００９】
これによれば、回転手段は、その回転体にて、一図柄変動において２種類の回転速度のうちの低い回転速度にて回転した後当該低い回転速度よりも高い回転速度にて回転するようになっている。
【手続補正４】
【補正対象書類名】明細書
【補正対象項目名】００１０
【補正方法】変更
【補正の内容】
【００１０】
このように、一図柄変動において、回転体が低い回転速度にて回転した後高い回転速度にて回転速度するようになると、回転体の低い回転速度から高い回転速度への上昇でもって、遊技者は、例えば、大当たりを期待する等の遊技上の興趣を感受し得る。
【手続補正５】
【補正対象書類名】明細書
【補正対象項目名】００１６
【補正方法】変更
【補正の内容】
【００１６】
当該遊技機において、
回転手段は、回転軸（１６１）と、当該回転軸により支持される回転体（ＲＤ）と、当該回転体を回転可能に支持するように設けられる支持部材（１５０ｂ）とを有して、回転体によりその表面の絵柄でもって演出態様の期待度を報知するようになっており、
演出操作装置は、
ベース(１４０ａ）と、
当該ベースに押動可能に支持してなる操作ボタン（１４０ｃ）と、
当該操作ボタンに対し振動を伝達可能に設けてなる可振板（２００ｄ）と、
当該可振板の面に沿う中心線（Ｑ）に対する法線（Ｐ）上にて上記中心線の左右両側に可振板及びベースに接触可能に設けてなる左右両側弾性スペーサ部材（２２０ｃ、２２０ｄ）と、
可振板に振動を発生させるように設けてなる振動発生手段（ＶＭ）とを具備してなり、
当該振動発生手段は、モータ本体（２１４）及び当該モータ本体から同軸的に延出する出力軸（２１５）を有するモータ（２００ｆ）と、当該モータの上記出力軸に支持される偏心体（２００ｇ）とを備えており、
回転手段において、回転体は、一図柄変動において２種類の回転速度のうちの低い回転速度にて回転した後当該低い回転速度よりも高い回転速度にて回転するようになっており、
振動発生手段において、モータは、左右両側弾性スペーサ部材を結ぶ直線からずれて偏心体を位置させるように、上記モータ本体にて、可振板に支持されており、
大当たりのときには、可振板の振動が発生し、または回転体の回転速度が上記高い回転速度になるようになっていることを特徴とする。
【手続補正６】
【補正対象書類名】明細書
【補正対象項目名】００１７
【補正方法】変更
【補正の内容】
【００１７】
これによれば、回転手段は、その回転体にて、一図柄変動において２種類の回転速度のうちの低い回転速度にて回転した後当該低い回転速度よりも高い回転速度にて回転するようになっている。
【手続補正７】
【補正対象書類名】明細書
【補正対象項目名】００１８
【補正方法】変更
【補正の内容】
【００１８】
このように、一図柄変動において、回転体が低い回転速度にて回転した後高い回転速度にて回転するようになると、回転体の低い回転速度から高い回転速度への上昇でもって、遊技者は、例えば、大当たりを期待する等の遊技上の興趣を感受し得る。
【手続補正８】
【補正対象書類名】明細書
【補正対象項目名】００２３
【補正方法】変更
【補正の内容】
【００２３】
本発明によれば、回転体が、一図柄変動において、低い回転速度にて回転した後高い回転速度にて回転するようになると、回転体の低い回転速度から高い回転速度への上昇でもって、遊技者は、例えば、大当たりを期待する等の遊技上の興趣を感受し得る。
【手続補正９】
【補正対象書類名】明細書
【補正対象項目名】００４０
【補正方法】変更
【補正の内容】
【００４０】
大入賞口装置７０は、図１にて示すごとく、第２始動入賞口装置４０の直下に位置しており、この大入賞口装置７０は、その大入賞口を開くことによって、遊技盤１０の盤面に沿い転動する遊技球に対し上記大入賞口に入賞する機会を与える。また、当該大入賞口装置７０は、その大入賞口を閉鎖することによって、遊技球の大入賞口への入賞を規制する。なお、この大入賞口装置７０による大入賞口の開放は、第１始動入賞口装置３０の始動入賞口への遊技球の入賞による抽選結果に基づき大当たりが成立したときになされる。また、大入賞口装置７０の大入賞口の開閉は、遊技盤１０の裏面に設けた大入賞口アクチュエータ７１により駆動される。
【手続補正１０】
【補正対象書類名】明細書
【補正対象項目名】００４４
【補正方法】変更
【補正の内容】
【００４４】
普通図柄表示器８０ａは、複数の７セグメント発光ダイオードからなるもので、当該普通図柄表示器８０ａは、スルーゲート５０を通過する遊技球に対する図柄抽選の結果に基づき、当たり図柄或いはハズレ図柄を表示する。
【手続補正１１】
【補正対象書類名】明細書
【補正対象項目名】００４６
【補正方法】変更
【補正の内容】
【００４６】
第２特別図柄表示器８０ｃは、複数の７セグメント発光ダイオードからなるもので、この第２特別図柄表示器８０ｃは、後述のごとく、遊技球の第２始動入賞口装置４０の始動入賞口への入賞に対する第２始動入賞口センサＳ２（図２０参照）の検出出力に基づきなされる大当たり抽選に応じて、特別図柄変動を所定時間の間表示した後、当該大当たり抽選の結果に応じた特別図柄変動を停止表示する。例えば、大当たり抽選の結果が当たりであれば、第２特別図柄表示器８０ｃは、当該当たりに対応した特別図柄変動を停止表示して、大入賞口装置７０による大入賞口の開放の契機を提供する。
【手続補正１２】
【補正対象書類名】明細書
【補正対象項目名】００５２
【補正方法】変更
【補正の内容】
【００５２】
本第１実施形態においては、操作ハンドル１１０は、図２にて示すごとく、ハンドルケーシング１１０ａを有しており、当該ハンドルケーシング１１０ａは、図４にて示すごとく、筒状ケーシング本体１１１及び半球状の透光カバー１１２でもって構成されている。
【手続補正１３】
【補正対象書類名】明細書
【補正対象項目名】００５９
【補正方法】変更
【補正の内容】
【００５９】
ここで、当該筐体１３０は、その前側部位にて、前枠９０の突出部９０ａの凹状切り欠き部からその前方へ突出しており、当該筐体１３０の後側部位は、球受け皿１２０内に突出している。
【手続補正１４】
【補正対象書類名】明細書
【補正対象項目名】０１６７
【補正方法】変更
【補正の内容】
【０１６７】
また、当該主制御装置３００は、ＣＰＵ３１０により、ソフトタイマー３２０の第２ソフトタイマー部からの第２主パルス信号（後述する）の発生ごとに、図２８にて示すフローチャートに従い第２主タイマー割り込みプログラムを実行する。この演算処理の実行中において、センサ群Ｓの磁石センサＳ１０や振動センサＳ１１からの出力に基づきエラー判定に要する演算処理が行われる。
【手続補正１５】
【補正対象書類名】明細書
【補正対象項目名】０２２９
【補正方法】変更
【補正の内容】
【０２２９】
現段階では、遊技球の第１或いは第２の始動入賞口装置３０或いは４０の始動入賞口への遊技球の入賞やスルーゲート５０の遊技球の通過はないことから、上記第１主タイマー割り込みプログラムは、第１始動入賞口処理ルーチン７００、第２始動入賞口処理ルーチン８００、ゲート処理ルーチン９００（図２７及び図３２参照）に進む。なお、この処理過程において、第１始動入賞口処理ルーチン７００では、図２９のステップ７１０にてＮＯと判定され、第２始動入賞口処理ルーチン８００では、図２６のステップ８１０にてＮＯと判定され、ゲート処理ルーチン９００では、図３１のステップ９１０にてＮＯと判定される。
【手続補正１６】
【補正対象書類名】明細書
【補正対象項目名】０２７２
【補正方法】変更
【補正の内容】
【０２７２】
ついで、ステップ１１８０における変動開始処理において、主制御装置３００が、ＣＰＵ３１０により、ステップ１１６０で選択済みの変動パターンでもって特別図柄変動を表示するように第１特別図柄表示器８０ｂ或いは第２特別図柄表示器８０ｃを駆動する。このため、第１特別図柄表示器８０ｂ或いは第２特別図柄表示器８０ｃは、当該変動パターンによる特別図柄変動の表示を行う。
【手続補正１７】
【補正対象書類名】明細書
【補正対象項目名】０２７６
【補正方法】変更
【補正の内容】
【０２７６】
このような状態において、特別図柄処理ルーチン１１００が、その後、少なくとも一回、ステップ１１９０に進んだとき、ステップ１１８０ａで変動時間計時開始された変動時間が上記所定の変動時間に達していれば、当該ステップ１１９０において、ＹＥＳと判定される。すると、ステップ１１９０ａにおける図柄変動停止コマンドセット処理において、図柄変動停止コマンドが、ステップ１１８０において開始された変動パターンの変動を停止させるようにセットされる。ついで、ステップ１１９０ｂにおける変動停止処理において、主制御装置３００が、ＣＰＵ３１０により、上述した第１特別図柄表示器８０ｂ或いは第２特別図柄表示器８０ｃによる特別図柄変動の表示を停止させる。
【手続補正１８】
【補正対象書類名】明細書
【補正対象項目名】０２７８
【補正方法】変更
【補正の内容】
【０２７８】
一方、ステップ１２２０において、Ｇ≧１が成立すれば、ＹＥＳと判定された後、ステップ１２２１において、次の式（６）に基づき、ゲート通過数Ｇが「１」だけ減算更新される。
【手続補正１９】
【補正対象書類名】明細書
【補正対象項目名】０２９１
【補正方法】変更
【補正の内容】
【０２９１】
すると、ステップ１６３０におけるエラー判定出力処理がなされる。このエラー判定出力処理においては、ステップ１６００におけるＹＥＳとの判定結果或いはステップ１６１０におけるＹＥＳとの判定結果に基づき、磁石使用による不正行為或いは振動発生による不正行為が、エラーとして判定される。
【手続補正２０】
【補正対象書類名】明細書
【補正対象項目名】０３０３
【補正方法】変更
【補正の内容】
【０３０３】
然る後、特別図柄変動が終了すると、ステップ２１２０においてＹＥＳと判定され、これに伴い、ステップ２１２０における装飾図柄変動終了処理において、装飾図柄変動が終了する（図４１参照）。
【手続補正２１】
【補正対象書類名】明細書
【補正対象項目名】０３０４
【補正方法】変更
【補正の内容】
【０３０４】
すると、次のステップ２１２２において、チャンス到来による操作ボタン押動指令処理がなされる。これに伴い、操作ボタン１４０ｃの押動か否かが判定される。ここで、操作ボタン１４０ｃが押動されていなければ、ステップ２１２３において、ＮＯと判定されて、ステップ２１２４において所定時間経過か否かが判定される。なお、当該所定時間は、遊技者による操作ボタン１４０ｃの押動に要する時間をいう。
【手続補正２２】
【補正対象書類名】明細書
【補正対象項目名】０３３１
【補正方法】変更
【補正の内容】
【０３３１】
一方、上述のような発射センサによる検出がなくステップ２１８０においてＮＯと判定される場合には、所定の客待ち時間の経過後客待ちモード表示演出終了にもかかわらず、新たな客がなく遊技開始にならないことから、次のステップ２１８１において、客待ちモード光演出処理がなされる。
【手続補正２３】
【補正対象書類名】明細書
【補正対象項目名】０３３２
【補正方法】削除
【補正の内容】
【手続補正２４】
【補正対象書類名】明細書
【補正対象項目名】０３６７
【補正方法】変更
【補正の内容】
【０３６７】
ついで、ステップ３２１０において、装飾図柄変動停止か否かが判定される。現段階において、ステップ２１１０（図３４参照）の装飾図柄変動処理における装飾図柄変動が図４１にて示すごとく終了すれば、当該ステップ３２１０においてＹＥＳと判定される。ここで、装飾図柄変動停止は対応の特別図柄変動停止を前提とすることから、当該特別図柄変動停止でもって、大当たり抽選の結果が明らかになる。従って、大当たりであれば、遊技者は上記予告通りであると認識する。また、外れであれば、遊技者は上記予告に反して期待を裏切られることになる。